(57)【特許請求の範囲】
【請求項１】
所要の長さの閉鎖空間を有する搬送ダクト内において間隔を置いて対向する少なくとも２個のチェーンプーリに調帯されて周回移動するように設置され搬送ダクト内に投入される粉粒状物を横方向に搬送するコンベアチェーンを含む搬送コンベアにおいて、
コンベアチェーンの周回端部となる搬送コンベアのいずれか又は両方の末端部近傍に設置されその軸支部が相互に近接、離間方向に移動可能に設けられたチェーンプーリと、
該チェーンプーリに調帯されたコンベアチェーンの外周形状に沿ってその外周輪郭と所要の間隔を置いて縦方向に近接配置された、湾曲部を有する残留防止板と、
チェーンプーリと残留防止板との間隔を一定に保持しつつチェーンプーリの軸支部の近接、離間移動に同期して残留防止板を同方向に移動させる間隙保持移動機構と、を備え、
残留防止板の湾曲部の湾曲上部内面に密着し同残留防止板の幅方向に細長いスリット孔を有しフレキシブル管を介して残留防止板の移動の際にも外部空気圧源からの空気圧送を受けて空気を噴射させる空気噴射ノズルを含む残留物除去装置を備えたことを特徴とする粉粒状物搬送コンベアの残留防止板とチェーンプーリの移動調整装置。
【請求項２】
空気圧源に接続される空気噴射ノズルは一端を搬送ダクトの側壁に係止して側面側から搬送ダクトの中央側に入り、他端を空気噴射ノズルに接続するその間の空気供給部分にフレキシブル管が設けられたことを特徴とする請求項１記載の粉粒状物搬送コンベアの残留防止板とチェーンプーリの移動調整装置。
【請求項３】
空気噴射ノズルは、空気噴射枠の噴出しノズル部分であり、
該空気噴射枠は、空気噴射ノズル部分を下方噴出しの一辺とする略立体二等辺三角形箱体からなることを特徴とする請求項１または２記載の粉粒状物搬送コンベアの残留防止板とチェーンプーリの移動調整装置。
【請求項４】
残留防止板の湾曲面には合成樹脂製の防爆部材が被着されてなる請求項１ないし３のいずれかに記載の粉粒状物搬送コンベアの残留防止板とチェーンプーリの移動調整装置。
【発明の詳細な説明】
【０００１】
【発明の属する技術分野】
本発明は、閉鎖型の搬送路内で粉状物や粒状物を押送させて搬送する搬送コンベアの末端部における被搬送物の残留防止板とチェーンプーリの移動調整装置に関する。
【０００２】
【従来の技術】
従来、需要供給バランスと狭小農地の点からとうもろこし、マイロ、大豆、菜種、大麦等の食料や動物飼料用等の穀類の確保は大部分が外国からの輸入に依存しており、例えば数万トンの積載能力を有する大型船舶や貨物航空機にこれらを積載させて大量の穀類を陸揚げさせる。例えば船舶輸送における陸揚げに際しては岸壁等に横づけした船舶からアンローダ装置を介して閉鎖ケース内に配置されたベルトコンベア上に穀類を投入させ、周縁に設置させた大型サイロ内にこれを収納させ、需要者の引き合い時にサイロから必要量の穀類を取り出しながら供給するようになっている。ところで、陸揚げされた穀類をサイロ内に導入し、あるいはサイロから必要量を取り出して供給するような場合や事業者側の保管、管理運営等の必要から他の貯蔵室や保管場所等に穀類を移動させるような場合には建物内に横長の閉鎖空間を有するダクトを配設させ、このダクト内に穀類を投入し、ダクトの排出口方向に向けて穀類全体を押送することによりそれらの移動搬送を行なわせる。
【０００３】
図７は、一般的な粉粒状物搬送コンベアの概略構成を示しており、図において、例えば５０メートル程度の長さの断面矩形搬送ダクト１０内に長手方向略全長にわたって周回移動する無端コンベアチェーン１２を配置させ、このコンベアチェーン１２から進行方向に対して横方向に張り出すように長手方向について所要の間隙ごとに複数の羽根板１４を固定させ、搬送ダクト１０の上面に開口させた開口からシュータ１６を介して穀類をダクト内に導入させ、コンベアチェーンを周回駆動させることによりその下動部側に位置する羽根板１４により穀類全体を排出口１８側に向けて押送させるようにしている。コンベアチェーン１２は、その走行方向の両端側に設置された駆動側及び従動側のチェーンプーリ２０に調帯されて周回移動するようになっており、搬送ダクト内に投入される穀類等を横方向に搬送させる。
【０００４】
上記のような従来の穀類の搬送装置において、図１０に示すようにコンベアチェーン１２の周回端部となる搬送ダクト１０の両端部側にチェーンプーリ２０が設置され、このチェーンプーリに調帯されたコンベアチェーン１２が上動または下動を反転させるように移動する。このとき、搬送ダクト１０の端部閉鎖壁２２とチェーンプーリとの中間の空間部Ｓ１にバラの状態で搬送される被搬送物としての粉、粒状物Ｍがコンベアチェーンの周回方向にかかわらずしだいに堆積し、大豆、大麦、菜種その他種々の穀類等について異種類の穀類の混入が生じる可能性があった。このため、図１１に示すようにチェーンプーリ２０に調帯されたコンベアチェーン１２の外周形状に沿った湾曲部を有し、その外周輪郭と所要の間隔を置いて縦方向に残留防止板２４を配置したものが知られている。ところで、コンベアチェーン１２はチェーン連結したものであっても稼働中にしだいに中間部に弛みが生じ、これを放置すると羽根板と搬送ダクトの内壁とが強く摩擦する部分が生じ、羽根板の損傷、曲り、摩耗、折損等を生じやすくなるとともに粉粒状物の搬送能力を低下させる。したがって、これを常時管理しておいてたとえば１月に１回程度このチェーンを張らせて適正な張力の状態で周回駆動させるようにする必要がある。ちなみにチェーンプーリの軸はたとえば２００ｍｍ程度の移動しろが確保されている。このような場合にはまず、最適な間隔で保持された残留防止板２４を端部閉鎖壁２２側に後退移動させ、その後コンベアチェーンを巻き掛けたチェーンプーリ２０を同じ方向に後退させて弛みをとるように移動させて適正な緊張状態とさせ、その後、再び残留保持板２４を前進移動させて最適な間隔位置にセットし、固定させる作業が必要であり、この作業が煩雑でまた、適正間隔に再設定するのに時間がかかり、これらのメンテナンス作業の効率を劣るものとしていた。また、粉粒状物の押送時の圧力により羽根板が湾曲したり折損する場合があり、これの保守を常時行なって羽根板を修繕、交換する場合があり、このような場合には、上記と逆に、チェーンプーリ２０を対向するチェーンプーリ側に近接する方向に移動させてコンベアチェーンを十分に弛緩させ、この状態で適宜の搬送ダクトの長手方向位置に設けられた上壁の開口を開いて、そこからチェーンを手繰り上げて外部に露出させ、その状態でチェーンの連結用ピンを叩打して抜脱させ、新規の羽根板を取り付け、その作業後、再びチェーンを開口から戻してチェーンプーリ２０を緊張させ、残留防止板との適正間隙位置を形成するように調節しながら復帰させる作業が必要であり、この場合にも上記同様に調整作業が煩雑でしかも時間がかかり保守のための作業効率を低下させる要因とさせるものであった。
【０００５】
【発明が解決しようとする課題】
本発明は、上記従来の課題に鑑みてなされたものであり、その目的は、簡単な構造で搬送コンベアの末端部に配置されたチェーンプーリの緊張、弛緩作業時にそのつど残留防止板との間隙を調整する必要がなく、簡易な操作でかつ短時間にチェーンプーリの弛緩、緊張状態における作業とともに適正な残留防止板とチェーンプーリとの間隔保持状態を得ることのできる粉粒状物搬送コンベアの残留防止板とチェーンプーリの移動調整装置を提供することである。
【０００６】
【問題点を解決するための手段】
上記目的を達成するために、本発明は、所要の長さの閉鎖空間を有する搬送ダクト内１０において間隔を置いて対向する少なくとも２個のチェーンプーリ２０Ａ、２０Ｂに調帯されて周回移動するように設置され搬送ダクト内に投入される粉粒状物Ｍを横方向に搬送するコンベアチェーン１２を含む搬送コンベア１００において、コンベアチェーン１２の周回端部となる搬送コンベアのいずれか又は両方の末端部近傍に設置されその軸支部（３４）が相互に近接、離間方向に移動可能に設けられたチェーンプーリ２０Ａ（２０Ｂ）と、該チェーンプーリに調帯されたコンベアチェーン１２の外周形状に沿ってその外周輪郭と所要の間隔を置いて縦方向に近接配置された、湾曲部５０を有する残留防止板２４と、チェーンプーリ２０Ａ（２０Ｂ）と残留防止板２４との間隔を一定に保持しつつチェーンプーリの軸支部（３４）の近接、離間移動に同期して残留防止板２４を同方向に移動させる間隙保持移動機構５２と、を備え、残留防止板２４の湾曲部の湾曲上部内面に密着し同残留防止板の幅方向に細長いスリット孔を有し、フレキシブル管７２を介して残留防止板２４の移動の際にも外部空気圧源からの空気圧送を受けて空気を噴射させる空気噴射ノズル７６を含む残留物除去装置を備えたことを特徴とする粉粒状物搬送コンベアの残留防止板とチェーンプーリの移動調整装置から構成される。
【０００７】
また、その際、空気圧源に接続される空気噴射ノズルは、一端を搬送ダクト１０の側壁に係止して側面側から搬送ダクトの中央側に入り、他端を空気噴射ノズル７６に接続するその間の空気供給部分にはフレキシブル管７２を設けるとよい。
【０００８】
また、空気噴射ノズル７６は、空気噴射枠６４の噴出しノズル部分であり、
該空気噴射枠６４は、空気噴射ノズル部分を下方噴出しの一辺とする略立体二等辺三角形箱体からなるようにしてもよい。
【０００９】
また、残留防止板２４の湾曲面には合成樹脂製の防爆部材（２５）が被着されたこととしてもよい。
【００１０】
【発明の実施の形態】
以下、添付図面を参照しつつ本発明の好適な実施の形態について説明するが、前記した従来の穀類の搬送装置と同一構成部材には同一の符号を付して説明する。図１ないし図６は、本発明の第１の実施の形態に係る粉粒状物搬送コンベアの残留防止板とチェーンプーリの移動調整装置を示しており、この移動調整装置は、図７に示すように、所要の長さの閉鎖空間を有する搬送ダクト１０内において間隔を置いて対向する少なくとも２個のチェーンプーリ２０Ａ、２０Ｂに調帯されて周回移動するように設置され搬送ダクト内に投入される粉粒状物Ｍを横方向に搬送するコンベアチェーン１２を含む搬送コンベア１００に適用されて簡易な操作でかつ短時間にチェーンプーリの弛緩、緊張状態における作業とともに適正な残留防止板とチェーンプーリとの間隔保持状態を得るようにさせるものである。搬送コンベア１００は、搬送ダクト１０と、搬送ダクト内に配置されたコンベアチェーン１２を含む搬送装置であり、種々の穀類、コーヒー、ココア、香料原料その他食品原料あるいはそれらの副原料、飼料原料、その他の粉、粒状体の搬送装置である。
【００１１】
図１は、搬送ダクト１０内におけるコンベアチェーン１２の周回端部となる搬送コンベアの１つの末端部２６Ａを示しており、この末端部の搬送ダクト１０内に、たとえば従動側のチェーンプーリ２０Ａが配置されている。本実施形態において搬送ダクト１０は、所要の長さの閉鎖空間を有しておりチェーンプーリ２０に調帯されてコンベアチェーン１２が周回移動し、この搬送ダクト内に投入された粉粒状物Ｍをたとえば従動チェーンプーリ側に搬送する。
【００１２】
この実施形態において、搬送ダクト１０は断面矩形形状の例えば数十メートルないし１００メートル程度の長さの金属製中空ダクトであり、同ダクトの天面板を一部切り欠いて設けられた開口にシュータ１６を取り付けこのシュータ１６からダクトの内部に投入される種々の穀物や粉体をコンベアチェーン１２により押送させる。被搬送物である例えば穀類は、上方側の穀類貯蔵部から穀類を指示されるロットごとに順次投入されて搬送ダクト１０の中空内部に投下される。搬送ダクト１０の端部の縦面は端部閉鎖壁２２により閉鎖されている。この実施形態においては搬送ダクトの周壁に溶接固定されて端部縦面を閉鎖して構成されているが、この閉鎖壁２２はヒンジ機構やスライド機構を用いて開閉蓋とし、開閉可能状態で閉鎖させておくようにしてもよい。
【００１３】
実施形態において、コンベアチェーン１２は単列チェーンからなり、搬送ダクト１０の幅方向中央部を上動部及び下動部を形成するように周回駆動される。搬送コンベア１００の末端部内にはこのコンベアチェーン１２を巻き掛けたチェーンプーリ２０が回転自在に軸支されている。図１、３において、搬送ダクト１０の末端部２６Ａ側の両側壁中央部には横方向に長い長孔２８が開けられており、さらに、この長孔２８を外面側からあてがって該長孔２８を閉鎖させさらに搬送ダクト１０の長手方向、すなわち横方向にスライドし得るように閉鎖板３０が設けられている。閉鎖板３０は横長形状の金属製矩形板からなり、その上下側となる幅方向の両端に横方向に向けて案内ガイド板３２が搬送ダクト１０の側壁にそれぞれ固定され、これら案内ガイド板３２に挟まれた中間位置に閉鎖板３０が配置されて同案内ガイド板に案内されて閉鎖板３０は円滑に横移動案内される。図において、閉鎖板３０の外面側において軸受３４を有する軸受ブラケット３６がボルト固定されている。そして、軸受３４に軸支されて回転軸３８が搬送ダクト１０の長孔２８を貫通し、かつ同搬送ダクトを側方から貫通するように配置されている。この回転軸の幅方向中央部にチェーンプーリ２０がその中心部を固定されており、これによって、同チェーンプーリの回転に伴って、これに巻き掛けられたコンベアチェーン１２が周回移動する。閉鎖板３０の端部閉鎖壁２２寄り側端部にはＬ字状に起立して連結板３９が閉鎖板と一体的に設けられている。
【００１４】
前述したように、閉鎖板３０は横方向に移動可能となっており、したがって、この閉鎖板３０に固定された軸受３４を有する軸受ブラケット３６とチェーンプーリ２０は一体的に横移動する。すなわち、チェーンプーリ２０は、その軸支部とともに対向するチェーンプーリに対して相互に近接、離間方向に移動可能に設けられている。
【００１５】
コンベアチェーン１２は、搬送ダクトの幅方向中央部において走行方向に長く上下に設けられたレール部材（上レール部材は図示せず）４０に案内されつつ周回移動するものであり、図５に示すように短辺側の横幅長が異なる鎖子４２をそれぞれ縦列状に交互にピン４４によりチェーン連結させた無端チェーン本体と、無端チェーン本体の長手方向の適宜位置に所要の間隔をおいて横方向（搬送ダクトの幅方向）に張り出して複数個固定された羽根板１４と、からなり、コンベアチェーン１２を周回駆動させることにより例えば下側を横移動する無端チェーン本体部分の各羽根板１４によりダクト内に投入された穀類を排出口１８に向けて掃引押送させる。なお、実施形態において、たとえば羽根板１４の数本おきには、可撓性、柔軟性を有する密着面を備えたクリーニング部材４６が固定的、あるいは脱着自在に取り付けられている。このクリーニング部材としては、少なくとも搬送ダクトの底壁とダクトの幅方向の内壁側となる側壁に略密着する密着面を有しており、かつこの密着面が可撓性、柔軟性を有する素材から形成されて構成されているとより好適である。これによって、クリーニング部材の密着面で搬送ダクトの底壁及び側壁において密着状態となりダクト内部を遮蔽した状態で投入された穀類を一掃するように押送する。
【００１６】
クリーニング部材は、例えば、羽根板１４のそれぞれに対して着脱自在に装着し得る構成とするほうが好適である。例えば、径の太い繊維や糸を織成したキャンバス生地等で羽根板１４に巻き付ける巻き付け装着部を形成し、この巻き付け装着部に厚みのあるフェルト様生地体を固定させ、このフェルト用生地体を押し付けるように搬送ダクトの底壁や側壁に密着させた状態とすることにより、クリーニング部材を形成させることができる。このクリーニング部材では搬送ダクト内を遮蔽状態として穀類等を押送するから側壁と底壁との隅部や、レール部材部分での穀類の押送残しがなくなり、異種穀類混入を防止し得る。
【００１７】
一方、図１、２、３において、チェーンプーリ２０に調帯されたコンベアチェーン１２の外周形状に沿ってその外周輪郭と所要の間隔を置いて縦方向に残留防止板２４が配置されている。搬送コンベア１００の末端部において、搬送ダクト端部の端部閉鎖壁２２とチェーンプーリ２０に調帯されたコンベアチェーン１２との間には、構造上、製造上あるいは保守の上で中間空間部Ｓ１が存在するが、この中間空間部Ｓ１において、調帯されたコンベアチェーン１２の円形の外周形状に沿う湾曲面２４ａを有する残留防止板２４が縦方向に配置されている。
【００１８】
実施形態において、残留防止板２４は、チェーンプーリ２０に調帯された半円形部分の縦方向の接線に沿うように上端が搬送ダクト１０の天壁側に近接して位置し、それから垂下された縦平板部４８と、この縦平板部４８に連続しコンベアチェーン１２の周回端部の下動側に延長する湾曲部分に対応する湾曲部５０と、からなっており、その湾曲部５０の下端部は搬送ダクト１０の底壁に傾斜状に接して配置されている。実施形態において残留防止板２４は、コンベアチェーン１２との間に羽根板１４が周回する際に接摺しない程度でかつ粉粒状物が残留しない程度の適度の離隔間隙Ｈを設けつつその周回端部形状に沿ってあてがうようにして配置されており、かつ、搬送ダクトの断面全体を遮蔽するように設けられている。バラの状態の穀類等は搬送ダクト内で粉状、あるいは粒子状の粉片等を含んでいたり、あるいは、搬送ダクト内での搬送の際にダクト内壁との摩擦で粉片を生じさせるものであり、これらが搬送残りとしてダクト内の隅部等に滞留すると湿気等により塊として固化し、しだいに大きな粒塊となってこれらを除去することが困難となる。残留防止板２４を設けることにより、被搬送物は端部閉鎖壁２２との間の中間空間部Ｓ１側に浸入することなくその部分への穀類等の残留を防止する。
【００１９】
図２、３において、残留防止板２４のチェーンプーリ２０側に対向する面、すなわち内面側には合成樹脂製の防爆部材が被着されている。実施形態において例えば数ミリメートル程度の厚さのネオプレン合成ゴムシート２５を残留防止板の内面に接着させて防爆部材としており、これによってコンベアチェーン１２の周回作動時に特にその周回反転部としてのダクト末端部における羽根板と搬送ダクトの内壁との摩擦により火花が生じ、これを原因とする粉体の爆発を未然に防止することができる。防爆部材としては、単に残留防止板２４の内面側に耐熱、対摩耗性の高い合成樹脂をコ−ティングして形成させてもよい。
【００２０】
本発明において１つの特徴的なことは、搬送コンベア１００の末端部側の搬送ダクト内に設けられ軸支部が他のチェーンプーリに対して近接、離間移動可能に設けられたチェーンプーリ２０と、該チェーンプーリ２０に調帯されたコンベアチェーン１２の外周に沿って配置された残留防止板２４と、チェーンプーリ２０と残留防止板２４との間隙Ｈを一定に保持しつつチェーンプーリの軸支部の近接、離間移動に同期して残留防止板２４を同方向に移動させる間隙保持移動機構５２と、を備えたことであり、これによって、簡易な操作でかつ短時間にチェーンプーリの弛緩、緊張状態における作業とともに適正な残留防止板とチェーンプーリとの間隔保持状態を得ることができる。
【００２１】
実施形態において、間隔保持移動機構５２は残留防止板２４とチェーンプーリ２０とが所要の間隙を保持した状態で残留防止板を支持するとともにチェーンプーリ２０の軸支部に連結された連結支持部材５４と、該連結支持部材を横方向すなわち他のチェーンプーリに対して近接、離間方向に駆動させる駆動機構５６と、を備えている。
【００２２】
図１、３に示すように、残留防止板２４の搬送ダクト１０内における設置位置よりも背面側、すなわち端部閉鎖壁２２側における同搬送ダクトの両側壁には横長孔５８が設けられており、この横長孔５８を貫挿して両端を搬送ダクトの側壁から突設させ該横長孔５８に架設されて横移動自在に支持杆６０が設けられている。この支持杆６０の搬送ダクト内における中間位置の離間した２個所に１端側を残留防止板２４の背面側（すなわち湾曲内面に対する裏面側）に固定させた管部材６２が挿嵌されて固定されており、これによって、支持杆６０により残留防止板２４が搬送ダクトの断面を閉鎖するように支持されている。そして、支持杆６０の両端突設部と前述した閉鎖板２４のＬ字状連結板３９とがビス６４により固定されている。実施形態において、連結支持部材５４は閉鎖板３０と、支持杆６０と、を含んでいる。ここにおいて、それぞれ回転軸３８の軸支部としての軸受３４と、支持杆６０とが一体連結状態で横移動することにより残留防止板２４とチェーンプーリ２０がそれらの離隔間隙を保持した状態で同期して横移動する。
【００２３】
この実施形態においては、残留防止板２４の湾曲部５０の湾曲内面に沿って下方に向けて空気を噴射させる空気噴射枠６４が設けられている。空気噴射枠６４は、残留防止板２４の湾曲部５０の湾曲内面に沿って下方に向けて空気を噴射させる残留物除去装置であり、図５に示すように搬送ダクト１０の外部に配置されたコンプレッサ６６、圧縮タンク６８、空気供給管７０、フレキシブル管７２、取付管７４により残留防止板の上端寄り位置から下方に向けて垂下状に固定されて設けられている。空気噴射枠６４は図６に見られるように下側を下辺とした立体二等辺三角形箱状のたとえば金属製の空気噴射箱からなる。フレキシブル管７２に連通されコンプレッサからの圧縮空気を通流させる取付管７４は、残留防止板２４の上端寄り位置を貫通してＬ字状に下方に曲げられており屈曲下端側は二等辺三角形の頂部に連設されて圧縮空気を空気噴射枠６４内に圧送する。空気噴射枠６４は、三角形の一面側を残留防止板の縦平板部４８の内面側に密着して沿わせて取り付けられている。該空気噴射枠６４は、二等辺三角形の下辺側に細長いスリット孔からなら空気噴射ノズル７６を有しており、この空気噴射ノズル７６から圧縮空気を下方に向けて噴射させることにより残留防止板３２のチェーンプーリ２０側に臨む内面側に被搬送物の粉片や、穀片が付着している場合にそれらの粉片や穀片、あるいは穀粒等を搬送路側に吹き戻しコンベアチェーン１２の羽根板１４やそれらに取り付けたクリーニング部材により穀類全体とともに排出口１８側に向けて押送させる。したがって、被搬送物が搬送コンベアの末端部において残留するのを完全に防止でき、異種穀類の混入防止の万全を期すことができる。なお、残留留防止板２４は中間空間部Ｓ１内に配置させ、空気噴射ノズル７６部分のみを湾曲部５０の内面に沿って空気吹き出しを行なうように斜め下方に向けて取り付けてもよい。
【００２４】
フレキシブル管７２は、残留防止板２４が横移動する際に芯ずれを吸収するものであり、特にこの実施形態では搬送ダクト１０の側壁に設けた孔から内部に延長され取付管７４に連通接続されている。したがって、端部閉鎖壁２２の背面側に設置されるのと異なり、構築物や設置スペース、点検作業時等の邪魔にならないようにしている。
【００２５】
図１ないし図４において、間隙保持移動機構５２は、連結支持部材５４をチェーンプーリ２０の軸支部の近接、離間移動方向に駆動させる駆動機構を備えており、実施形態において、この駆動機構は支持杆６０の両端側を同期して横移動させる同期横移動装置から構成されている。図１、２において、端部閉鎖壁２２の両側に取付板７８が横方向に突設され、この取付板７８にそれぞれ一端をチェーンプーリの軸受ブラケット３６方向に延長したスピンドル軸８０が連結されるとともにその裏面側にスプロケット８２を固定させた軸受部材８４が軸受８５の内輪に嵌合固定されている。両側のスプロケット８２には連動チェーン８６が調帯されており、１つの軸受部材８４の中心軸部に設けられた入力角穴にハンドル８８の一端を差し込んで回動させることにより両スプロケット８２が同期回転する。一方、閉鎖板３０の一端側にＬ字状に起立して突設された連結板３９にはスピンドル軸８０の螺旋溝に咬合する螺旋突条を有する受部材９０が取り付けられており、これによって、スピンドル軸８０の回転にともない横方向、すなわち、チェーンプーリ２０の回転軸を案内する長孔２８の長手方向に沿って移動する。これによって、ハンドル８８を回動させるとスプロケット８２が同期回転し、両スピンドル軸８０を同期して同方向に回転させることにより、連結板３９を横移動させ、残留防止板２４及びチェーンプーリ２０をそれらの間隙を保持した状態で同期移動させる。なお、図上９２は搬送ダクトの末端部近傍の天壁に開口された点検口、９４はその蓋である。
【００２６】
次に、図を参照して実施形態の移動調整装置の作用を説明すると、図１においてチェーンコンベアの緊張状態から、例えば羽根板の交換が必要となった場合にハンドル８８を軸受部材８４に差し込んで例えば左回転させると、スプロケット８２、軸受部材８４を介してスピンドル軸８０を同期回転させる。スピンドル軸８０に咬合する連結板３９を介して同連結板３９に固定された支持杆６０を前方側、すなわち対向する駆動チェーンプーリ側に向けて移動させるとともに、連結板３９を含む閉鎖板３０が同方向に移動しさらに閉鎖板３０を介して軸支された回転軸に固定されるチェーンプーリ２０を同方向に横移動させる。このとき、残留防止板２４とプーリあるいはプーリに調帯されたコンベアチェーンの外周形状と設定された離隔間隙を保持した状態で両方ともに同期移動させるので、例えば、５０メートル程の長さの搬送ダクトの適宜中間位置に設けられた天壁開口から弛緩状態のコンベアチェーン１２を手繰り上げ、固定ピン４４を打抜いて交換作業等を行なう。作業後、チェーンを元に戻し、ハンドルを逆方向に回動させることにより、設定された元の適正離隔間隙を保持した状態で残留防止板２４とチェーンプーリ２０とが元の位置に短時間で復帰する。また、コンベアチェーンに緩みが生じているときには、単に、ハンドルを右回転させるだけで適正離隔間隙を保持した状態で残留防止板２４とチェーンプーリ２０とを適正位置に設定し直すことができる。
【００２７】
次に、図８、図９に基づいて本発明の第２の実施の形態に係る粉粒状物搬送コンベアの残留防止板とチェーンプーリの移動調整装置を説明するが、第１実施形態と同一の構成部材には同一符号を付し、その詳細な説明を省略する。この実施形態では間隙保持移動機構５２は、チェーンプーリ２０の軸支部（３４）に連係して同チェーンプーリの軸支部を横方向に進退移動させる軸支部進退移動機構と、残留防止板２４を横方向に進退移動させる残留防止板進退移動機構９８と、軸支部進退移動機構と残留防止板進退移動機構とを１つの入力操作で同期して駆動させる入力同期装置２００と、を備えている点が第１実施形態と異なる主な点である。
【００２８】
図８において、この実施形態ではチェーンプーリの軸支部と残留防止板２４とは直接に連結されておらず、軸支部進退移動機構９６と、残留防止板進退移動機構９８を介してチェーンプーリ２０と残留防止板２４がそれぞれ別個に横方向に移動させる機構を有し、さらにこれら軸支部進退移動機構と残留防止板進退移動機構を１つの入力操作で同期して駆動させるようにしている。図において、軸支部進退移動機構９６は、搬送ダクト端部から両側に直角方向に突設した取付板７８に取り付けた軸受部材８４と、軸受部材８４に固定され一端側をチェーンプーリ２０の軸受ブラケット３６側に延長させたスピンドル軸８０と、閉鎖板３０の連結板３９に取り付けられスピンドル軸８０の螺旋溝に咬合する螺旋突条を有する受部材９０と、を備えている。スピンドル軸８０が回転することにより、受部材９０との螺旋状の咬合により閉鎖板３０が横方向に移動する。
【００２９】
また、図８において、残留防止板２４の下部位置には先端がＬ字状に曲折された取付補助板１０２が端部閉鎖壁２２方向に突設されており、このＬ字状曲折部に内側に螺旋突条を有する受部材１０４が固定されている。そして、図９にも示すように、端部閉鎖壁２２の中央下部寄り位置にスプロケット８２と同様のスプロケット１０６と一体固定された軸受部材１０８が同閉鎖壁２２を貫通状に固定されており、該軸受部材１０８からチェーンプーリ２０の軸支部方向に先端を延長してスピンドル軸１１０が突設固定されている。そして、このスピンドル軸１１０が受部材１０４の螺旋突条に螺旋咬合しており、これによって、スピンドル軸１０を回転させると残留防止板が単独で横方向に移動する。さらに、図９において、これらチェーンプーリの軸支部の横方向進退移動機構に対応する２個のスプロケット８２、８２と、残留防止板２４の横方向進退移動機構に対応する１個のスプロケット１０６とが１個のチェーン１１２により周回されてそれぞれ調帯されている。そして、たとえば、そのうちの１つのスプロケット、たとえばスプロケット８２の中心軸の設けられた各穴内にハンドル８８の一端が差し込まれ、これによって、１つの入力操作で同期して軸支部進退移動機構９６と残留防止板進退移動機構９８を駆動させることができる。この場合においても残留防止板２４とプーリあるいはプーリに調帯されたコンベアチェーンの外周形状と設定された間隔Ｈを保持した状態で両方ともに同期移動させるので、長尺の搬送ダクトから弛緩状態のコンベアチェーン１２を手繰り上げ、固定ピン４４を打抜いて交換作業を行なったり、コンベアチェーンに緩みが生じているときに作業前、及び作業後におけるチェーンプーリと残留防止板の移動を適正間隙を保持しつつ簡単に行なえ、この種の作業時間短縮、作業効率の向上を図れる。特に、この実施形態では、チェーンプーリと残留防止板の進退移動用スピンドル軸端部を搬送ダクトの外部に配置させ、外部で同期駆動させる構成とすることができるから製造、組み立てが簡単で、製作コストを低減し得る。
【００３０】
本発明の粉粒状物搬送コンベアの残留防止板とチェーンプーリの移動調整装置は、上記した実施形態に限られるものではない。例えば、支持杆６０に対して残留防止板２４を固定させているが、伸縮可能なシリンダ機構のロッド端部を残留防止板の背面側に固定させて移動調整し得るようにしてもよい。また、支持杆６０と連結板３９とを固定とせずに、シリンダ機構、歯車機構、ラック・ピニオン等により移動調整し得るようにしてもよい。実施形態では閉鎖板３０に支持杆６０を連結させているが必ずしもこれによらず、閉鎖板３０とは別の軸受ブラケット３６との連結構成によりチェーンプーリと残留防止板が同期移動し得るようにしてもよい。また、駆動機構の入力ハンドルはモータ駆動としてもよい。また、噴射ノズルを含む空気噴射枠は必ずしも設けなくともよい。
【００３１】
【発明の効果】
以上説明したように、本発明に係る粉粒状物搬送コンベアの残留防止板とチェーンプーリの移動調整装置によれば、所要の長さの閉鎖空間を有する搬送ダクト内において間隔を置いて対向する少なくとも２個のチェーンプーリに調帯されて周回移動するように設置され搬送ダクト内に投入される粉粒状物を横方向に搬送するコンベアチェーンを含む搬送コンベアにおいて、コンベアチェーンの周回端部となる搬送コンベアのいずれか又は両方の末端部近傍に設置されその軸支部が相互に近接、離間方向に移動可能に設けられたチェーンプーリと、該チェーンプーリに調帯されたコンベアチェーンの外周形状に沿ってその外周輪郭と所要の間隔を置いて縦方向に近接配置された、湾曲部を有する残留防止板と、チェーンプーリと残留防止板との間隔を一定に保持しつつチェーンプーリの軸支部の近接、離間移動に同期して残留防止板を同方向に移動させる間隙保持移動機構と、を備えてなる構成としているから、簡単な構造で搬送コンベアの末端部に配置されたチェーンプーリの緊張、弛緩作業時にそのつど残留防止板との間隙を調整する必要がなく、簡易な操作でかつ短時間にチェーンプーリの弛緩、緊張状態における作業とともに適正な残留防止板とチェーンプーリとの間隔保持状態を得ることができ、チェーンプーリの調整作業に伴う作業時間の大幅短縮により作業効率を向上させることが可能である。
【００３２】
また、間隙保持移動機構は、残留防止板とチェーンプーリに調帯されたコンベアチェ−ン外周とが所要の間隙を保持した状態で残留防止板を支持しつつチェーンプーリの軸支部に連結された連結支持部材と、連結支持部材をチェーンプーリの軸支部の近接、離間移動方向に駆動させる駆動機構と、を備えた構成とすることにより、連結支持部材を介してチェーンプーリと残留防止板との間隙を保持しつつこれらを同期して移動させる構成を実現し得る。
【００３３】
また、間隙保持移動機構は、チェーンプーリの軸支部に連係して同チェーンプーリの軸支部を横方向に進退移動させる軸支部進退移動機構と、残留防止板を横方向に進退移動させる残留防止板進退移動機構と、軸支部進退移動機構と残留防止板進退移動機構とを１つの入力操作で同期して駆動させる入力同期装置と、を備えてなる構成とすることにより、たとえば１つの手動ハンドル操作だけで所要の適正間隔を保持させた状態で残留防止板とチェーンプーリを同期して横方向に進退移動でき、羽根板の保守、点検、交換、コンベアチェーンの張り状態の管理作業を短時間に行なえる。特に、この場合にはチェーンプーリと残留防止板の進退移動用スピンドル軸端部を搬送ダクトの外部に配置させ、外部で同期駆動させる構成とすることができるから製造、組み立てが簡単で、製作コストを低減し得る。
【００３４】
また、搬送ダクトにはチェーンプーリの軸支部の移動用長孔が設けられ、この長孔を外面から閉鎖させかつ外面に密着しつつスライドし、さらにチェーンプーリの支軸を受ける軸受が固定された閉鎖板が設けられ、連結支持部材は、該閉鎖板に連結固定され残留防止板を背面側から支持した状態で搬送ダクトに架設されてチェーンプーリの軸支部の近接、離間移動方向に横移動する支持杆を備えた構成とすることにより、チェーンプーリの軸支部の移動用長孔から外部に粉体が吹き出て周辺を汚したり機器に付着して悪影響を与えないための閉鎖板を利用してチェーンプーリの軸受部分と残留防止板を支持する支持杆とを連結でき、粉体の吹出防止を行ないつつチェーンプーリと残留防止板との同期移動構成を簡単な構造で安価に実現させることができる。
【００３５】
また、支持杆は搬送ダクトに設けられた横長孔を貫通した状態で横移動自在に支持され、前記支持杆の両端側に前記駆動機構が連係されてなる構成とすることにより、残留防止板を支持する支持杆を搬送ダクトに対して横移動自在とさせ、チェーンプーリとともにそれと所要間隙で設定された残留防止板を同期して移動させることができる。
【００３６】
また、搬送ダクトにはチェーンプーリの軸支部の移動用長孔が設けられ、この長孔を外面から閉鎖させかつ外面に密着しつつスライドし、さらにチェーンプーリの支軸を受ける軸受が固定された閉鎖板が設けられ、軸支部進退移動機構は、閉鎖板と、閉鎖板に連係され回転により該閉鎖板を横方向に進退駆動させるスピンドル軸と、を含む構成とすることにより、チェーンプーリの軸支部の移動用長孔から外部に粉体が吹き出て周辺を汚したり機器に付着して悪影響を与えないための閉鎖板を利用してチェーンプーリの軸受部分を横方向に移動させるから、粉体の外部への吹き出しを防止しつつ適正間隙を保持したチェーンプーリと残留防止板との同期移動構成を簡単な構造で安価に実現させることができる。
【００３７】
また、残留防止板の湾曲部の湾曲内面に沿って下方に向けて空気を噴射させる噴射ノズルを含む残留物除去装置を備えた構成とすることにより、残留防止板のチェーンプーリ側に臨む内面側に被搬送物の粉片や、穀片が付着している場合にそれらの粉片や穀片、あるいは穀粒等を搬送路側に吹き戻しコンベアチェーンの羽根板やそれらに取り付けたクリーニング部材により穀類全体とともに排出口側に向けて確実に押送させて被搬送物としての粉粒状物の搬送ダクト内への残留を確実になくし、異種穀類の混入防止の万全を期すことができる。
【００３８】
また、残留防止板のチェーンプーリ側に対向する面には合成樹脂製の防爆部材が被着されてなる構成とすることにより、コンベアチェーンの周回作動時に特にその周回反転部としてのダクト末端部における羽根板と搬送ダクトの内壁との摩擦により火花が生じ、これを原因とする粉体の爆発を未然に防止することが可能である。
【図面の簡単な説明】
【図１】本発明の第１実施形態に係る粉粒状物搬送コンベアの残留防止板とチェーンプーリの移動調整装置の末端部の一部省略正面図である。
【図２】図１の横断面説明図である。
【図３】図１の縦断面説明図である。
【図４】実施形態の搬送ダクトの端部閉鎖壁の外面側から見た図である。
【図５】搬送ダクトの末端部の天壁の点検口の蓋を開けた状態の一部省略平面説明図で
ある。
【図６】図２のＡ−Ａ線矢示図である。
【図７】本発明の実施形態に係る粉粒状物搬送コンベアの残留防止板とチェーンプーリの移動調整装置を提供した搬送コンベアの一部省略全体構成説明図である。
【図８】本発明の第２実施形態に係る粉粒状物搬送コンベアの残留防止板とチェーンプーリの移動調整装置の末端部の一部省略正面図である。
【図９】図８の第２実施形態の端部閉鎖壁側から見た入力同期装置の概略構成を示す図である。
【図１０】従来の搬送ダクトの末端部の粉粒状物の滞留状態を示す一部省略断面説明図である。
【図１１】従来のチェーンプーリに近接して残留防止板を取り付けた一部省略断面説明図である。
【符号の説明】
１０ 搬送ダクト
１２ コンベアチェーン
２０ チェーンプーリ
２２ 端部閉鎖壁
２４ 残留防止板
２４ａ  湾曲面
２６  末端部
２８  長孔
３０  閉鎖板
３４  軸受
３６  軸受ブラケット
３８  回転軸
３９  連結板
４０  レール部材
５０  湾曲部
５２  間隙保持移動機構
５４  連結支持部材
５６  駆動機構
５８  横長孔
６０  支持杆
６４  空気噴射枠
７６  空気噴射ノズル
９６  軸支部進退移動機構
９８  残留防止板進退移動機構
Ｈ  離隔間隙
Ｓ１  中間空管部
Ｍ  分粒状物
１００  搬送コンベア
２００  入力同期装置
【図１】
0003546377.tif 000002
【図２】
0003546377.tif 000003
【図３】
0003546377.tif 000004
【図４】
0003546377.tif 000005
【図５】
0003546377.tif 000006
【図６】
0003546377.tif 000007
【図７】
0003546377.tif 000008
【図８】
0003546377.tif 000009
【図９】
0003546377.tif 000010
【図１０】
0003546377.tif 000011
【図１１】
0003546377.tif 000012